(57)【要約】  情報処理装置は、被験者の肌の色素を表す第１色成分値〜第３色成分値を含む測色データを取得する手段を備え、カメラから、被験者の肌の画像データを取得する手段を備え、画像データに基づいて、ディスプレイに表示する表示画像を生成する手段を備え、第１色成分値〜第３色成分値を、それぞれ、肌の光特性を表す物質量に関する第１色素パラメータ〜第３色素パラメータに変換する手段を備え、オペレータの指示に従って、第１色素パラメータ〜第３色素パラメータの少なくとも１つを変更する手段を備え、変更された第１色素パラメータ〜第３色素パラメータを、それぞれ、第１色成分値〜第３色成分値に変換する手段を備え、変換された第１色成分値〜第３色成分値に基づいて、表示画像を変更する手段を備える。
2019131013.tif 000002
【特許請求の範囲】
【請求項１】
被験者の肌の色素を表す第１色成分値〜第３色成分値を含む測色データを取得する手段を備え、
カメラから、前記被験者の肌の画像データを取得する手段を備え、
前記画像データに基づいて、ディスプレイに表示する表示画像を生成する手段を備え、
前記第１色成分値〜前記第３色成分値を、それぞれ、肌の光特性を表す物質量に関する第１色素パラメータ〜第３色素パラメータに変換する手段を備え、
オペレータの指示に従って、前記第１色素パラメータ〜前記第３色素パラメータの少なくとも１つを変更する手段を備え、
前記変更された第１色素パラメータ〜第３色素パラメータを、それぞれ、前記第１色成分値〜前記第３色成分値に変換する手段を備え、
前記変換された第１色成分値〜第３色成分値に基づいて、前記表示画像を変更する手段を備える、
情報処理装置。
【請求項２】
前記第１色素パラメータは、真皮の光散乱レベルに関するパラメータであり、
前記第２色素パラメータは、表皮の光吸収レベルに関するパラメータであり、
前記第３色素パラメータは、真皮の光吸収レベルに関するパラメータである、
請求項１に記載の情報処理装置。
【請求項３】
前記第１色素パラメータは、コラーゲン繊維の密度及び変性に基づく係数を含む、
請求項２に記載の情報処理装置。
【請求項４】
前記第１色素パラメータは、皮膚中の酸化ヘモグロビンの量に関するパラメータであり、
前記第２色素パラメータは、表皮の光吸収レベルに関するパラメータであり、
前記第３色素パラメータは、皮膚中の還元ヘモグロビンの量に関するパラメータである、
請求項１に記載の情報処理装置。
【請求項５】
前記第１色成分値〜前記第３色成分値は、それぞれ、ＸＹＺ表色系のＸ色成分値、Ｙ色成分値、及び、Ｚ色成分値を含む、
請求項１〜４の何れかに記載の情報処理装置。
【請求項６】
前記変更する手段は、前記Ｘ色成分値、前記Ｙ色成分値、及び、前記Ｚ色成分値をＲＧＢ色空間の画像信号に変換することにより、前記表示画像を変更する、
請求項５に記載の情報処理装置。
【請求項７】
前記測色データを取得する手段は、前記被験者の肌を測色する測色装置から前記測色データを取得する、
請求項１〜６の何れかに記載の情報処理装置。
【請求項８】
コンピュータを、請求項１〜７の何れかに記載の各手段として機能させるためのプログラム。
【発明の詳細な説明】
【技術分野】
【０００１】
本発明は、情報処理装置、及び、プログラムに関する。
【背景技術】
【０００２】
近年、肌の状態に応じた化粧品を選択する消費者が増加傾向にある。このような消費者に適合した商品を勧めるためには、個人の肌の状態に合わせた化粧品を勧めることが有効である。そのため、消費者の肌の状態を定量化し、且つ、化粧品を使用した後の肌の状態を推測する技術が求められている。【０００３】
例えば、特許３７２７８０７号公報は、皮膚の測色値から皮膚中の成分（メラニン及びヘモグロビン）の量を推定するモデルを開示している。【０００４】
特許３７９８５５０号公報は、皮膚の反射スペクトルから皮膚中の成分（メラニン、酸化ヘモグロビン、還元ヘモグロビン、及び、真皮の見かけ上の吸光度）を推定するモデルを開示している。
【発明の概要】
【発明が解決しようとする課題】
【０００５】
化粧品を選択する消費者に対して、推奨される化粧品を使用した後の皮膚中の成分の変化と、当該変化に起因する肌の色合いと、を提示することにより、消費者の購買意欲を促進させることができる。特に、消費者の購買意欲の促進のためには、推奨される化粧品を使用した後の皮膚中の成分の変化に対応する肌の色が再現されたシミュレーション画像を提示することが有効である。【０００６】
しかし、一般に、測色値は、少なくとも３つのパラメータ（例えば、ＸＹＺ表色系の色成分値）で表される。特許３７２７８０７号公報のモデルは、皮膚中の成分に対応するパラメータが２種類（メラニン及びヘモグロビン）であるため、皮膚中の成分から測色値を計算することはできない。そのため、上記シミュレーション画像を生成することはできない。【０００７】
特許３７９８５５０号公報にモデルは、測色値と皮膚中の成分との関係を規定していない。そのため、上記シミュレーション画像を生成することはできない。【０００８】
本発明の目的は、皮膚中の成分に応じた肌の色が再現されたシミュレーション画像を提供することである。
【課題を解決するための手段】
【０００９】
本発明の一態様は、
被験者の肌の色素を表す第１色成分値〜第３色成分値を含む測色データを取得する手段を備え、
カメラから、前記被験者の肌の画像データを取得する手段を備え、
前記画像データに基づいて、ディスプレイに表示する表示画像を生成する手段を備え、
前記第１色成分値〜前記第３色成分値を、それぞれ、肌の光特性を表す物質量に関する第１色素パラメータ〜第３色素パラメータに変換する手段を備え、
オペレータの指示に従って、前記第１色素パラメータ〜前記第３色素パラメータの少なくとも１つを変更する手段を備え、
前記変更された第１色素パラメータ〜第３色素パラメータを、それぞれ、前記第１色成分値〜前記第３色成分値に変換する手段を備え、
前記変換された第１色成分値〜第３色成分値に基づいて、前記表示画像を変更する手段を備える、
情報処理装置である。
【発明の効果】
【００１０】
本発明によれば、皮膚中の成分に応じた肌の色が再現されたシミュレーション画像を提供することができる。
【図面の簡単な説明】
【００１１】
【図１】本実施形態の情報処理システムの構成を示すブロック図である。
【図２】クライアント装置１０の構成を示すブロック図である。
【図３】本実施形態の概要の説明図である。
【図４】本実施形態の情報処理のフローチャートである。
【図５】本実施形態の情報処理において取り扱われるデータの概要を示す図である。
【図６】本実施形態の情報処理において表示される画面例を示す図である。
【図７】変形例２の情報処理において表示される画面例を示す図である。
【発明を実施するための形態】
【００１２】
以下、本発明の一実施形態について、図面に基づいて詳細に説明する。なお、実施形態を説明するための図面において、同一の構成要素には原則として同一の符号を付し、その繰り返しの説明は省略する。
【００１３】
（１）情報処理システムの構成
情報処理システムの構成について説明する。図１は、本実施形態の情報処理システムの構成を示すブロック図である。
【００１４】
図１に示すように、情報処理システム１は、クライアント装置１０と、測色装置２０と、を備える。
クライアント装置１０及び測色装置２０は、有線又は無線により互いに接続される。
【００１５】
クライアント装置１０は、測色装置２０の計測結果を用いて情報処理を実行する情報処理装置の一例である。クライアント装置１０は、例えば、スマートフォン、タブレット端末、又は、パーソナルコンピュータである。
【００１６】
測色装置２０は、肌の色を測定するように構成される。
【００１７】
（１−１）クライアント装置の構成
クライアント装置１０の構成について説明する。図２は、クライアント装置１０の構成を示すブロック図である。
【００１８】
図２に示すように、クライアント装置１０は、記憶装置１１と、プロセッサ１２と、入出力インタフェース１３と、通信インタフェース１４と、カメラ１５と、ディスプレイ１６と、を備える。
【００１９】
記憶装置１１は、プログラム及びデータを記憶するように構成される。記憶装置１１は、例えば、ＲＯＭ（Read Only Memory）、ＲＡＭ（Random Access Memory）、及び、ストレージ（例えば、フラッシュメモリ又はハードディスク）の組合せである。
【００２０】
プログラムは、例えば、以下のプログラムを含む。
・ＯＳ（Operating System）のプログラム
・情報処理を実行するアプリケーション（例えば、ウェブブラウザ）のプログラム
【００２１】
データは、例えば、以下のデータを含む。
・情報処理において参照されるデータベース
・情報処理を実行することによって得られるデータ（つまり、情報処理の実行結果）
【００２２】
プロセッサ１２は、記憶装置１１に記憶されたプログラムを起動することによって、クライアント装置１０の機能を実現するように構成される。プロセッサ１２は、コンピュータの一例である。
【００２３】
入出力インタフェース１３は、クライアント装置１０に接続される入力デバイスからユーザの指示を取得し、かつ、クライアント装置１０に接続される出力デバイスに情報を出力するように構成される。
入力デバイスは、例えば、キーボード、ポインティングデバイス、タッチパネル、又は、それらの組合せである。
【００２４】
通信インタフェース１４は、クライアント装置１０と測色装置２０との間の通信を制御するように構成される。
【００２５】
カメラ１５は、画像データ（例えば、測色装置２０による測色の対象となる被験者の画像に対応する画像データ）を取得するように構成される。
【００２６】
ディスプレイ１６は、プロセッサ１２により生成された表示画像を表示するように構成される。ディスプレイ１６は、例えば、ＬＣＤ（Liquid-Crystal-Display）、又は、ＯＥＬ（Organic-Electro-Luminescence）ディスプレイである。
【００２７】
（２）本実施形態の概要
本実施形態の概要について説明する。図３は、本実施形態の概要の説明図である。
【００２８】
図３に示すように、測色装置２０は、被験者ＯＢＪの肌を測色することにより、測色データを取得する。測色データは、被験者ＯＢＪの肌の色素を表す第１色成分値〜第３色成分値を含む。
【００２９】
クライアント装置１０は、被験者ＯＢＪの肌の画像の画像データと、測色装置２０によって得られた測色データと、を取得する。
クライアント装置１０は、画像データに基づいて、被験者ＯＢＪの肌の表示画像ＩＭＧ０を表示する。
【００３０】
クライアント装置１０は、測色データに含まれる第１色成分値〜第３色成分値に基づいて、肌の光特性（たとえば、光の反射特性、及び、光の吸収特性の少なくとも１つ）を表す物質量に関する第１色素パラメータ〜第３色素パラメータを計算する。
【００３１】
クライアント装置１０のオペレータは、クライアント装置１０に対して、第１色素パラメータ〜第３色素パラメータの少なくとも１つを変更するための指示を与える。
クライアント装置１０は、オペレータの指示に従って、第１色素パラメータ〜第３色素パラメータの少なくとも１つを変更する。クライアント装置１０は、変更後の第１色素パラメータ〜第３色素パラメータを、それぞれ、第１色成分値〜第３色成分値に変換する。クライアント装置１０は、変換された第１色成分値〜第３色成分値に基づいて、変換された第１色成分値〜第３色成分値に対応する表示画像ＩＭＧ１を表示する。
【００３２】
このように、クライアント装置１０のオペレータは、クライアント装置１０に対して、第１色素パラメータ〜第３色素パラメータの少なくとも１つを変更するための指示を与えるだけで、被験者ＯＢＪの肌の色素の変化に応じた表示画像ＩＭＧ１が得られる。
【００３３】
（３）情報処理
本実施形態の情報処理について説明する。図４は、本実施形態の情報処理のフローチャートである。図５は、本実施形態の情報処理において取り扱われるデータの概要を示す図である。図６は、本実施形態の情報処理において表示される画面例を示す図である。
【００３４】
図４に示すように、クライアント装置１０は、測色データの取得（Ｓ１００）を実行する。
具体的には、プロセッサ１２は、測色装置２０から、測色データを取得する。測色データは、被験者ＯＢＪの肌の色素を表す第１色成分値〜第３色成分値を含む。第１色成分値〜第３色成分値は、例えば、ＸＹＺ表色系の色成分値（Ｘ０，Ｙ０，Ｚ０）である（図５）。
プロセッサ１２は、取得した測色データを記憶装置１１に記憶する。
【００３５】
ステップＳ１００の後、クライアント装置１０は、画像データの取得（Ｓ１０１）を実行する。
具体的には、カメラ１５は、被験者ＯＢＪの肌を撮像することにより、被験者ＯＢＪの肌の画像データを生成する。画像データは、例えば、ＲＧＢ色空間の色成分値（以下「表示色情報」という）を含む。
プロセッサ１２は、カメラ１５によって生成された画像データを記憶装置１１に記憶する。
【００３６】
ステップＳ１０１の後、クライアント装置１０は、表示画像の生成（Ｓ１０２）を実行する。
具体的には、プロセッサ１２は、ステップＳ１０１で記憶装置１１に記憶された測色データに含まれる第１色成分値〜第３色成分値（Ｘ０，Ｙ０，Ｚ０）を、ＲＧＢ色空間の表示色情報（Ｒ０，Ｇ０，Ｂ０）に変換する（図５）。
【００３７】
プロセッサ１２は、式１を用いて、測色データに含まれる第１色成分値〜第３色成分値（Ｘ０，Ｙ０，Ｚ０）を、第１色素パラメータ〜第３色素パラメータ（Ｐａ０，Ｐｂ０，Ｐｃ０）に変換する（図５）。
【数１】
2019131013.tif 000003
・ｋａｘ、ｋｂｘ、ｋｃｘ：コラーゲン繊維の密度及び変性に基づく係数
・ｋａｙ、ｋｂｙ、ｋｃｙ：皮膚のメラニン量に基づく係数
・ｋａｚ、ｋｂｚ、ｋｃｚ：皮膚のヘモグロビン量に基づく係数
・ｊａ、ｊｂ、ｊｃ：定数
【００３８】
第１色素パラメータＰａは、被験者ＯＢＪの肌の真皮の光散乱レベルに関するパラメータである。
第２色素パラメータＰｂは、被験者ＯＢＪの肌の表皮の光吸収レベルに関するパラメータである。
第３色素パラメータＰｃは、被験者ＯＢＪの肌の真皮の光吸収レベルに関するパラメータである。
【００３９】
ステップＳ１０１で記憶装置１１に記憶された画像データと、変換されたＲＧＢ色空間の表示色情報（Ｒ０，Ｇ０，Ｂ０）と、に基づく画像（つまり、被験者ＯＢＪの肌の画像）を生成する（図５）。
プロセッサ１２は、画面Ｐ１００（図６）をディスプレイ１６に表示する。
【００４０】
図６に示すように、画面Ｐ１００は、表示オブジェクトＡ１００と、ボタンオブジェクトＢ１００ａ〜Ｂ１００ｃと、画像オブジェクトＩＭＧ１００と、を含む。
表示オブジェクトＡ１００には、測色データに含まれる第１色成分値〜第３色成分値（Ｘ０，Ｙ０，Ｚ０）が表示される。表示オブジェクトＡ１００に表示された値は、ステップＳ１０２で変換されたＲＧＢ色空間の表示色情報（Ｒ０，Ｇ０，Ｂ０）に対応する。
ボタンオブジェクトＢ１００ａは、真皮の光散乱レベルに関する第１色素パラメータＰａを変更するためのユーザ指示を受け付けるオブジェクトである。第１色素パラメータＰａの値は、ボタンオブジェクトＢ１００ａの位置に応じて決まる。
ボタンオブジェクトＢ１００ｂは、表皮の光吸収レベルに関する第２色素パラメータＰｂを変更するためのユーザ指示を受け付けるオブジェクトである。第２色素パラメータＰｂの値は、ボタンオブジェクトＢ１００ｂの位置に応じて決まる。
ボタンオブジェクトＢ１００ｃは、真皮の光吸収レベルに関する第３色素パラメータＰｃを変更するためのユーザ指示を受け付けるオブジェクトである。第３色素パラメータＰｃの値は、ボタンオブジェクトＢ１００ｃの位置に応じて決まる。
画像オブジェクトＩＭＧ１００は、ステップＳ１０２で生成された被験者ＯＢＪの肌の画像が表示される。被験者ＯＢＪの肌の画像の色は、ステップＳ１０２で変換されたＲＧＢ色空間の表示色情報（Ｒ０，Ｇ０，Ｂ０）によって決まる。
【００４１】
ステップＳ１０２の後、クライアント装置１０は、パラメータの変更（Ｓ１０３）を実行する。
具体的には、オペレータが、ボタンオブジェクトＢ１００ａを操作すると、プロセッサ１２は、ボタンオブジェクトＢ１００ａの位置に応じた値に第１色素パラメータＰａを変更する。
オペレータが、ボタンオブジェクトＢ１００ｂを操作すると、プロセッサ１２は、ボタンオブジェクトＢ１００ｂの位置に応じた値に第２色素パラメータＰｂを変更する。
オペレータが、ボタンオブジェクトＢ１００ｃを操作すると、プロセッサ１２は、ボタンオブジェクトＢ１００ｃの位置に応じた値に第３色素パラメータＰｃを変更する。
これにより、第１色素パラメータ〜第３色素パラメータの値が、（Ｐａ０，Ｐｂ０，Ｐｃ０）から（Ｐａ１，Ｐｂ１，Ｐｃ１）に補正される（図５）。
【００４２】
ステップＳ１０３の後、クライアント装置１０は、表示画像の変更（Ｓ１０４）を実行する。
具体的には、プロセッサ１２は、式１を用いて、ステップＳ１０３で変更した第１色素パラメータ〜第３色素パラメータを、第１色成分値〜第３色成分値（Ｘ１，Ｙ１，Ｚ１）に変換する（図５）。
プロセッサ１２は、第１色成分値〜第３色成分値（Ｘ１，Ｙ１，Ｚ１）を、ＲＧＢ色空間の表示色情報（Ｒ１，Ｇ１，Ｂ１）に変換する（図５）。
ステップＳ１０１で記憶装置１１に記憶された画像データと、変換されたＲＧＢ色空間の表示色情報（Ｒ１，Ｇ１，Ｂ１）と、に基づく画像（つまり、変更後の色素パラメータに対応する画像）を生成する（図５）。
プロセッサ１２は、画面Ｐ１０２（図６）をディスプレイ１６に表示する。
【００４３】
図６に示すように、画面Ｐ１０２は、表示オブジェクトＡ１０２と、ボタンオブジェクトＢ１００ａ〜Ｂ１００ｃと、画像オブジェクトＩＭＧ１０２と、を含む。
表示オブジェクトＡ１０２には、ステップＳ１０３で変更された色素パラメータに対応する第１色成分値〜第３色成分値（Ｘ１，Ｙ１，Ｚ１）が表示される。表示オブジェクトＡ１０２に表示された値は、ステップＳ１０４で変換されたＲＧＢ色空間の表示色情報（Ｒ１，Ｇ１，Ｂ１）に対応する。
画像オブジェクトＩＭＧ１０２は、ステップＳ１０３で変更された色素パラメータに対応する。
【００４４】
本実施形態によれば、３種類の色成分値（例えば、ＸＹＺ表色系の色成分値）と、３種類の色素パラメータ（例えば、肌の反射特性（一例として、真皮の光散乱レベルに関するパラメータ）と、肌の吸収特性（一例として、表皮の光吸収レベルに関するパラメータ、及び、真皮の光吸収レベルに関するパラメータ）との組合せ）と、の関係が規定されたモデル（式１）を用いるので、オペレータが３種類の色素パラメータの少なくとも１つを変更する指示を与えるだけで、変更後の色素パラメータに対応する色成分値が得られる（ステップＳ１０３〜Ｓ１０４）。これにより、皮膚中の成分に応じた肌の色が再現されたシミュレーション画像（例えば、図６の画像オブジェクトＩＭＧ１０２）を提供することができる。
【００４５】
（４）変形例
本実施形態の変形例について説明する。なお、本実施形態と同様の説明は省略する。
【００４６】
（４−１）変形例１
本実施形態の変形例１について説明する。
【００４７】
変形例１では、ステップＳ１０３（図４）において、オペレータが、表示オブジェクトＡ１００に表示された第１色成分値〜第３色成分値（Ｘ０，Ｙ０，Ｚ０）の少なくとも１つを変更する指示を与えると、プロセッサ１２は、式１を用いて、変更後の第１色成分値〜第３色成分値（Ｘ０，Ｙ０，Ｚ０）に対応する第１色素パラメータＰａ〜第３色素パラメータＰｃを計算する。
【００４８】
変形例１によれば、クライアント装置１０のオペレータが第１色成分値〜第３色成分値の少なくとも１つを変更するための指示を与えた場合、被験者ＯＢＪの肌の色素の変化に応じた第１色素パラメータＰａ〜第３色素パラメータＰｃの表示オブジェクトＡ１０２を提供することができる。
【００４９】
（４−２）変形例２
本実施形態の変形例２について説明する。変形例２は、肌の吸収特性を表す物質量に関する第１色素パラメータ〜第３色素パラメータの変形例である。図７は、変形例２の情報処理において表示される画面例を示す図である。
【００５０】
変形例２の第１色素パラメータＰａは、被験者ＯＢＪの肌の酸化ヘモグロビンの量に関するパラメータである。
第２色素パラメータＰｂは、被験者ＯＢＪの肌の表皮の光吸収レベルに関するパラメータである。
第３色素パラメータＰｃは、被験者ＯＢＪの肌の還元ヘモグロビンの量に関するパラメータである。
【００５１】
プロセッサ１２は、ステップＳ１０２（図４）において、画面Ｐ１１０（図７）をディスプレイ１６に表示する。
【００５２】
図７に示すように、画面Ｐ１１０は、表示オブジェクトＡ１００と、ボタンオブジェクトＢ１１０ａ〜Ｂ１１０ｃと、画像オブジェクトＩＭＧ１００と、を含む。
ボタンオブジェクトＢ１１０ａは、酸化ヘモグロビンの量に関する第１色素パラメータＰａを変更するためのユーザ指示を受け付けるオブジェクトである。第１色素パラメータＰａの値は、ボタンオブジェクトＢ１１０ａの位置に応じて決まる。
ボタンオブジェクトＢ１１０ｂは、表皮の光吸収レベルに関する第２色素パラメータＰｂを変更するためのユーザ指示を受け付けるオブジェクトである。第２色素パラメータＰｂの値は、ボタンオブジェクトＢ１１０ｂの位置に応じて決まる。
ボタンオブジェクトＢ１１０ｃは、還元ヘモグロビンの量に関する第３色素パラメータＰｃを変更するためのユーザ指示を受け付けるオブジェクトである。第３色素パラメータＰｃの値は、ボタンオブジェクトＢ１１０ｃの位置に応じて決まる。
【００５３】
変形例２によれば、３種類の色成分値（例えば、ＸＹＺ表色系の色成分値）と、３種類の色素パラメータ（例えば、酸化ヘモグロビンの量に関するパラメータ、表皮の光吸収レベルに関する、及び、還元ヘモグロビンの量に関するパラメータ）と、の関係が規定されたモデルを用いる。これにより、オペレータが３種類の色素パラメータの少なくとも１つを変更する指示を与えるだけで、変更後の色素パラメータに対応する色成分値が得られる（ステップＳ１０３〜Ｓ１０４）。これにより、皮膚中の成分に応じた肌の色が再現されたシミュレーション画像（例えば、図７の画像オブジェクトＩＭＧ１０２）を提供することができる。
【００５４】
（５）本実施形態の小括
本実施形態について小括する。
【００５５】
本実施形態の第１態様は、
被験者ＯＢＪの肌の色素を表す第１色成分値〜第３色成分値を含む測色データを取得する手段（例えば、ステップＳ１００の処理を実行するプロセッサ１２）を備え、
カメラ１５から、被験者ＯＢＪの肌の画像データを取得する手段（例えば、ステップＳ１０１の処理を実行するプロセッサ１２）を備え、
画像データに基づいて、ディスプレイ１６に表示する表示画像を生成する手段（例えば、ステップＳ１０２の処理を実行するプロセッサ１２）を備え、
第１色成分値〜第３色成分値を、それぞれ、肌の光特性（例えば、光の反射特性、又は、光の吸収特性の少なくとも１つ）に関する第１色素パラメータＰａ、第２色素パラメータＰｂ、及び、第３色素パラメータＰｃに変換する手段（例えば、ステップＳ１０２の処理を実行するプロセッサ１２）を備え、
オペレータの指示に従って、第１色素パラメータＰａ〜第３色素パラメータＰｃの少なくとも１つを変更する手段（例えば、ステップＳ１０３の処理を実行するプロセッサ１２）を備え、
変更された第１色素パラメータＰａ〜第３色素パラメータＰｃを、それぞれ、第１色成分値〜第３色成分値に変換する手段（例えば、ステップＳ１０４の処理を実行するプロセッサ１２）を備え、
変換された第１色成分値〜第３色成分値に基づいて、表示画像を変更する手段（例えば、ステップＳ１０４の処理を実行するプロセッサ１２）を備える、
情報処理装置（例えば、クライアント装置１０）である。
【００５６】
第１態様によれば、３種類の色成分値（第１色成分値〜第３色成分値）を、肌の光特性を表す物質量に関する３種類の色素パラメータ（第１色素パラメータＰａ〜第３色素パラメータＰｃ）に変換するモデルが用いられる。オペレータが３種類の色素パラメータの少なくとも１つを変更する指示を与えるだけで、変更後の色素パラメータに対応する色成分値が得られる。これにより、皮膚中の成分に応じた肌の色が再現されたシミュレーション画像を提供することができる。
【００５７】
本実施形態の第２態様は、
前記第１色素パラメータは、真皮の光散乱レベルに関するパラメータであり、
前記第２色素パラメータは、表皮の光吸収レベルに関するパラメータであり、
前記第３色素パラメータは、真皮の光吸収レベルに関するパラメータである、
情報処理装置である。
【００５８】
第２態様によれば、オペレータが、肌の反射特性（例えば、真皮の光散乱レベル）、並びに、肌の吸収特性（例えば、表皮の光吸収レベル、及び、真皮の光吸収レベル）の少なくとも１つを変更する指示を与えるだけで、変更後の色素パラメータに対応する色成分値が得られる。
【００５９】
本実施形態の第３態様は、
第１色素パラメータＰａは、コラーゲン繊維の密度及び変性に基づく係数を含む、
情報処理装置である。
【００６０】
第３態様によれば、オペレータが光特性を変更する指示を与えると、コラーゲン繊維の密度及び変性に応じた色成分値が得られる。
【００６１】
本実施形態の第４態様は、
第１色素パラメータは、皮膚中の酸化ヘモグロビンの量に関するパラメータであり、
第２色素パラメータは、表皮の光吸収レベルに関するパラメータであり、
第３色素パラメータは、皮膚中の還元ヘモグロビンの量に関するパラメータである、情報処理装置である。
【００６２】
第４態様によれば、オペレータが、肌の吸収特性（例えば、皮膚中の酸化ヘモグロビンの量、表皮の光吸収レベル、及び、皮膚中の還元ヘモグロビンの量の少なくとも１つ）を変更する指示を与えるだけで、変更後の色素パラメータに対応する色成分値が得られる。
【００６３】
本実施形態の第５態様は、
第１色成分値〜第３色成分値は、それぞれ、ＸＹＺ表色系のＸ色成分値、Ｙ色成分値、及び、Ｚ色成分値を含む、
情報処理装置である。
【００６４】
第５態様によれば、オペレータが光特性を変更する指示を与えると、当該指示に対応するＸＹＺ表色系のＸ色成分値、Ｙ色成分値、及び、Ｚ色成分値が得られる。
【００６５】
本実施形態の第６態様は、
変更する手段は、Ｘ色成分値、Ｙ色成分値、及び、Ｚ色成分値をＲＧＢ色空間の画像信号に変換することにより、表示画像を変更する、
情報処理装置である。
【００６６】
第６態様によれば、オペレータが光特性を変更する指示を与えると、当該指示に対応する表示画像を提示することができる。
【００６７】
本実施形態の第７態様は、
測色データを取得する手段は、被験者ＯＢＪの肌を測色する測色装置２０から測色データを取得する、
情報処理装置である。
【００６８】
第７態様によれば、測色装置２０から取得した測色データに対するオペレータの指示に応じた色成分値が得られる。
【００６９】
本実施形態の第８態様は、
コンピュータ（例えば、プロセッサ１２）を、上記各手段として機能させるためのプログラムである。
【００７０】
（６）その他の変形例
【００７１】
記憶装置１１は、ネットワーク（不図示）を介して、クライアント装置１０と接続されてもよい。
【００７２】
以上、本発明の実施形態について詳細に説明したが、本発明の範囲は上記の実施形態に限定されない。また、上記の実施形態は、本発明の主旨を逸脱しない範囲において、種々の改良や変更が可能である。また、上記の実施形態及び変形例は、組合せ可能である。
【符号の説明】
【００７３】
１            ：情報処理システム
１０          ：クライアント装置
１１          ：記憶装置
１２          ：プロセッサ
１３          ：入出力インタフェース
１４          ：通信インタフェース
１５          ：カメラ
１６          ：ディスプレイ
２０          ：測色装置
【図１】
2019131013.tif 000004
【図２】
2019131013.tif 000005
【図３】
2019131013.tif 000006
【図４】
2019131013.tif 000007
【図５】
2019131013.tif 000008
【図６】
2019131013.tif 000009
【図７】
2019131013.tif 000010
【国際調査報告】
2019131013.tif 000011
2019131013.tif 000012
2019131013.tif 000013